(57)【要約】【課題】  デジタルカメラの詳細な設定を容易に行う。【解決手段】  デジタルカメラ１０では、カメラ本体１２の背面１２Ｃの全体が操作スイッチ群２６の設置スペースとなっている。そして、設定ボタン群８７の各設定ボタンを１度操作すると、直ちに設定画面が表示される。このため、プルダウン方式の設定と比して、各段に設定が容易であり、設定時間を短縮できる。【選択図】  図１０
2005184098.tif 000002
【特許請求の範囲】
【請求項１】
カメラ本体と、
前記カメラ本体の前面、又は後面を開閉するカバーと、
前記カバーに設けられたモニタと、
前記後面に設けられた操作スイッチ群と、
を備えるデジタルカメラであって、
前記後面の全体を前記操作スイッチ群の設置スペースとしたことを特徴とするデジタルカメラ。
【請求項２】
前記操作スイッチ群は、
所望の設定項目を１度の操作で前記モニタに表示させる設定ボタン群を有することを特徴とする請求１に記載のデジタルカメラ。
【請求項３】
前記操作スイッチ群は、
前記モニタに表示された複数の再生画像コマから所望の再生画像コマを１度の操作で選択する選択ボタン群を有することを特徴とする請求項１又は２に記載のデジタルカメラ。
【発明の詳細な説明】
【技術分野】
【０００１】
本発明は、デジタルカメラに関する。
【背景技術】
【０００２】
一般的にデジタルカメラではカメラ本体の後面にモニタが備えられていたので、カメラ本体の後面に多くの操作スイッチを設置するスペースがなかった。このため、色や明るさ等の詳細な設定項目の選択は、所謂プルダウン方式で行わなければならず、所望の設定項目を選択するまでに時間がかかるという問題があった。
【０００３】
従来からレンズカバーにモニタを設け、カメラ本体の後面からモニタを分離したカメラ（例えば、特許文献１、又は２参照）は考案されているが、これらの文献には詳細な設定を行う際の操作の煩雑さは問題とされておらず、何ら対策は講じられていない。
【特許文献１】特開平１０−３０１１６２号公報
【特許文献２】特開２０００−２１７０１７号公報
【発明の開示】
【発明が解決しようとする課題】
【０００４】
本発明は上記事実を考慮してなされたものであり、色や明るさ等の詳細な設定を容易に行うことができるデジタルカメラを提供することを目的とする。
【課題を解決するための手段】
【０００５】
請求項１に記載のデジタルカメラは、カメラ本体と、前記カメラ本体の前面、又は後面を開閉するカバーと、前記カバーに設けられたモニタと、前記後面に設けられた操作スイッチ群と、を備えるデジタルカメラであって、前記後面の全体を前記操作スイッチ群の設置スペースとしたことを特徴とする。
【０００６】
請求項１に記載のデジタルカメラでは、カメラ本体の前面、又は後面がカバーによって開閉される。モニタは、このカバーに設けられており、カメラ本体の後面の全体が操作スイッチの設置スペースとなっている。
【０００７】
このため、カメラ本体の後面に設置する操作スイッチの数を増やすことができるので、数多くある設定項目の中から所望の設定項目を各操作スイッチを１度操作することによって選択することも可能となる。
【０００８】
なお、カメラ本体の前面とはレンズが設けられ、撮影時に被写体側を向く面であり、カメラ本体の後面とは撮影時に撮影者側を向く面である。
【０００９】
請求項２に記載のデジタルカメラは、請求１に記載のデジタルカメラであって、前記操作スイッチ群は、所望の設定項目を１度の操作で前記モニタに表示させる設定ボタン群を有することを特徴とする。
【００１０】
請求項２に記載のデジタルカメラでは、設定ボタン群の各設定ボタンが１度操作されると、所望の設定項目がモニタに表示される。このため、プルダウン方式による設定と比して、色や明るさ等の詳細な設定をするのに時間がかからない。
【００１１】
請求項３に記載のデジタルカメラは、請求項１又は２に記載のデジタルカメラであって、前記操作スイッチ群は、前記モニタに表示された複数の再生画像コマから所望の再生画像コマを１度の操作で選択する選択ボタン群を有することを特徴とする。
【００１２】
請求項３に記載のデジタルカメラでは、選択ボタン群の各選択ボタンが１度操作されると、モニタに表示された複数の再生画像コマの中から所望の再生画像コマが選択される。これによって、カーソルを動かして所望の再生画像コマを選択する場合と比して、再生画像コマを選択するのに時間がかからない。
【発明の効果】
【００１３】
本発明は上記構成にしたので、色や明るさ等の詳細な設定、及び、再生画像コマの選択を容易にできるデジタルカメラを提供できる。
【発明を実施するための最良の形態】
【００１４】
以下に図面を参照しながら本実施形態について説明する。
【００１５】
図１に示すように、デジタルカメラ１０には、カメラ本体１２の前面１２Ａにレンズ１４を保護するレンズカバー１６が設けられている。レンズカバー１６は、前面１２Ａの上端中央部にヒンジ１８によって連結されており、図３に示すように、前面１２Ａに対して略水平に回転する図中矢印Ａ方向と、図５に示すように、前面１２Ａに対して略水平な回転軸回りの図中矢印Ｂ方向に回転可能とされている。また、前面１２Ａにはビューファインダ２０、フラッシュ２２が設けられ、上面１２Ｂにはレリーズスイッチ２４が設けられている。
【００１６】
また、図２に示すように、カメラ本体１２の後面１２Ｃには、ビューファインダ２０、及び操作スイッチ群２６が設けられている。
【００１７】
また、図４に示すように、レンズカバー１６の一方の面には液晶モニタ（ＬＣＤ）２８が設けられており、図１、図２に示す状態ではレンズ１４に重ね合わされている。そして、レンズカバー１６を、図１、図２に示す状態から図３、図４に示すように矢印Ａ方向に約１８０度回転させるとヒンジ１８にロックが掛かる。なお、図７に示すように、液晶モニタ２８は、レンズカバー１６の枠１６Ｄより一段内側に配置されおり、カメラ本体１２の前面１２Ａに接触しないので、レンズカバー１６の開閉時に液晶モニタ２８に傷が付くことはない。
【００１８】
図６に示すように、ヒンジ１８は、前面１２Ａに固定された回転軸３０と、回転軸３０の外周面に嵌合した円筒形状の板バネ３２と、板バネ３２の外周面に回転可能に嵌合した円筒形状の回転体３４とで構成されている。
【００１９】
回転体３４の内周面には約１８０度間隔で２個の三角形状の係止溝３４Ａが形成されている。また、回転体３４の外周面からは約１８０度間隔で２本の回転軸３４Ｂが突出している。この回転軸３４Ｂと係止溝３４Ａとの間隔は約９０度となっている。
【００２０】
また、レンズカバー１６の上端中央部には回転体３４の外周面に沿うＵ字孔１６Ａが形成されており、このＵ字孔１６Ａの内周面には回転軸３４Ｂが回転可能に嵌合する２個の軸受孔１６Ｂが形成されている。
【００２１】
そして、板バネ３２には、三角形状に折り曲げられたラッチ３２Ａが形成されている。このラッチ３２Ａは回転軸３４Ｂと約９０度の間隔で回転軸３０の最下部に配置されている。このため、レンズカバー１６は、図１、図２に示す最下部と、図３、図４に示す最上部とでロックされる。
【００２２】
また、回転軸３０にはラッチ３２Ａに面して凹部３０Ａが形成されており、ラッチ３２Ａは、レンズカバー１６が回転する際には凹部３０Ａ内に退避できるようになっている。このため、レンズカバー１６は自由に回転できる。
【００２３】
図７に示すように、ヒンジ１８の回転軸３４Ｂの外周面には円筒形状の板バネ３６が嵌合しており、この板バネ３６に軸受け孔１６Ｂが回転可能に嵌合している。板バネ３６には、三角形状に折り曲げられたラッチ３６Ａが形成されており、このラッチ３６Ａに面して回転軸３４Ｂには凹部３４Ｃが形成されている。このラッチ３６Ａと凹部３４Ｃは、回転軸３４Ｂの最下部から前側に約９０度回転した位置に配置されている。
【００２４】
また、軸受孔１６Ｂには、ラッチ３６Ａが係止する係止溝１６Ｃが４箇所に形成されている。係止溝１６Ｃは、レンズカバー１６が図示するように最下部に位置する時にラッチ３６Ａに係止する位置と、この位置から矢印Ｂ方向と反対回りに９０度、１３５度、１８０度の間隔で配置されている。
【００２５】
このため、図８に示すように、レンズカバー１６を最下部から約９０度、１３５度、１８０度回転させるとレンズカバー１６にはロックが係る。これによって、液晶モニタ２８を真上、斜め上方、及び正面（背面側、及び前面側から）から見ることができる。従って、高い位置からでも楽に撮影でき、自分撮りも液晶モニタ２８を確認して行うことができる等、撮影態勢の自由度が広がる。なお、本実施形態では、０度、９０度、１３５度、１８０度回転させるとレンズカバー１６にロックが係るようにしたが、回転軸３４Ｂと軸受孔１６Ｂとの間に摩擦部材を設ける等して、レンズカバー１６を任意の角度でロックするようにしても良い。
【００２６】
図９には、デジタルカメラ１０の回路構成を示すブロック図が示されている。
【００２７】
このデジタルカメラ１０は、動作全般の主制御部であるＣＰＵ３８、撮像系制御部４０、画像圧縮／伸張部４２、液晶モニタ（ＬＣＤ）２８の表示制御を行うＬＣＤ制御部４４、内蔵メモリ４６、通信インターフェース（通信Ｉ／Ｆ）４８、メディアインターフェース（メディアＩ／Ｆ）５０、操作スイッチ群２６、及びレリーズスイッチ２４を主要構成としており、各々がバス５４を介して相互に各種データの授受可能に接続されている。
【００２８】
撮像系制御部４０は、被写体Ａを撮影するための撮像系（レンズ１４等）を制御して、被写体Ａを動画像或いは静止画像として所望に選択して撮影し、撮影画像を被写体Ａに対応するデジタル画像データとして取得するためのものである。
【００２９】
画像圧縮／伸張部４２は、前記デジタル画像データに対する所定の画像圧縮形式による圧縮処理や、圧縮されたデジタル画像データを圧縮形式に応じて伸張するためのものである。
【００３０】
ＬＣＤ制御部４４には液晶モニタ２８が接続されており、液晶モニタ２８における各種情報の表示制御がなされる。
【００３１】
内蔵メモリ４６は、主として撮影によって得られたデジタル画像データを一時的に記憶するＲＡＭ、及び各種制御プログラムや所定のパラメータ等を予め記憶するＲＯＭを含んで構成されている。なお、前記ＲＡＭは、前記画像圧縮／伸張部４２による圧縮・伸張処理時のワークエリアとしても用いられる。
【００３２】
メディアＩ／Ｆ５０は、撮影によって得られたデジタル画像データを記憶するためのメディア５６との間で各種データの授受を中継するためのものであり、メディア５６に対する各種データの書込みや、メディア５６に書き込まれている各種データの読み出しを制御する。
【００３３】
通信Ｉ／Ｆ４８は、外部機器との間で各種データの授受を中継するためのものでる。
【００３４】
図２に示される十字キー５８等の操作スイッチ群２６は、ＣＰＵ３８に撮影モードの切換え等を行わせ、レリーズスイッチ２４は、ＣＰＵ３８にレリーズ信号を送って撮像系に撮像を行わせる。
【００３５】
図１０に示すように、デジタルカメラ１０は、カメラ本体１２の後面１２Ｃの全体が操作スイッチ群２６の設置スペースとなっている。操作スイッチ群２６は、後面１２Ｃの右下部に設けられた十字キー５８と、モードレバー６０と、モードダイヤル６２と、２３個の設定ボタン６４〜８６で構成された設定ボタン群８７を備える。
【００３６】
モードレバー６０は、撮影モードか再生モードを選択する。このモードレバー６０の中央部には電源ボタン８８が設けられている。
【００３７】
また、モードダイヤル６２は、マニュアル（Ｍ）、絞り優先オート（Ａ）、シャッター優先オート（Ｓ）、プログラムオート（Ｐ）、オート（ＡＵＴＯ）、シーンポジション（ＳＰ）、及びムービー（記号）等の撮影モード、及びセットアップ（ＳＥＴ）を選択する。このモードダイヤル６２の下部にはコマンドダイヤル９０が配置されており、例えばシーンポジション（ＳＰ）を設定する際には、このコマンドダイヤル９０によって、人物撮影に適したモードや風景撮影に適したモード等を選択する。
【００３８】
また、設定ボタン群８７は、２３個の設定ボタン６４〜８６が縦横に配置されている。最上段にはマクロボタン６４、ストロボボタン６５、ＩＮＦＯボタン６６が配置されている。マクロボタン６４を押すとマクロ撮影モードが設定される。また、ストロボボタン６５を押すたびにオートストロボや赤目軽減ストロボ等、ストロボの設定が変えられる。また、ＩＮＦＯボタン６６を押すと、撮影インフォメーション、再生インフォメーションが液晶モニタ２８に表示される。
【００３９】
そして、上から２段目には露出補正ボタン６７、連写ボタン６８、セルフタイマーボタン６９、ズームボタン７０が配置されている。モードダイヤル６２によってマニュアルモードが選択されている時、露出補正ボタン６７を押しながら、コマンドダイヤル９０を回すと絞り値を設定できる。また、連写ボタン６８を押すと、連射モードに設定され、複数コマを短い間隔で連射できる。また、セルフタイマーボタン６９を押すと、セルフタイマー撮影モードに設定され、セルフタイマーボタン６９を押すたびに２秒→１０秒→ＯＦＦの順に設定が変わる。また、ズームボタン７０を押すと、望遠（テレ）→広角（ワイド）→ノーマルとズームが切換えられる。なお、ズーム切換えは、十字キー５８の上／下ボタンでも行うことができる。
【００４０】
そして、上から３段目にはシフトボタン７１、ファインダ選択ボタン７２、ＤＩＳＰボタン７３、ＤＰＯＦボタン７４が配置されている。モードレバー６０によって撮影モードが選択されている時に、シフトボタン７１を押しながらストロボボタン６５を押すと画像サイズと圧縮率を設定できる。また、シフトボタン７１を押しながらＤＩＳＰボタン７３を押すと、液晶モニタ２８に液晶モニタ２８の明るさを調整する調整バーが表示される。この調整は、十字キーの左／右キーで行う。また、ファインダ選択ボタン７２を押すたびに、ファインダがビューファインダー（ＥＶＦ）２０と液晶モニタ２８とで切換えられる。また、ＤＩＳＰボタン７３を押すたびに、液晶モニタ２８の表示が文字表示あり→フレーミングガイド表示→文字表示なし、と切換えられる。
【００４１】
以上、説明した設定ボタン６４〜７３は、通常のデジタルカメラにも備えられている設定ボタンであるが、以下説明する設定ボタン７４〜８５は、通常のデジタルカメラには備えられておらず、以下の設定は、プルダウン方式で行われていた。
【００４２】
モードレバー６０によって再生モードが選択され、上から３段目に配置されているＤＰＯＦボタン７４が押されると液晶モニタ２８にデジタルオーダープリントフォーマット（ＤＰＯＦ）が表示される。そして、十字キー５８によって日付設定、コマ選択、プリント枚数設定の何れかを選択する。なお、設定条件の決定は、従来通り、ＯＫボタン８６によって行う。また、コマ選択は、後述する選択ボタン６７´〜８６´によって容易に選択できる。
【００４３】
そして、上から４段目には、ストロボ光量補正ボタン７５、ホワイトバランスボタン７６、測光モードボタン７７、オートブラケティングボタン７８が配置されている。ストロボ光量補正ボタン７５を押すと、液晶モニタ２８にストロボ光量の設定画面が表示され、十字キー５８の上／下ボタンで所望の光量を選択し、ＯＫボタン８６で決定する。また、ホワイトバランスボタン７６、測光モードボタン７７、オートブラケティングボタン７８を押すと、それぞれ、ホワイトバランス、測光モード、オートブラケティングの設定画面が液晶モニタ２８に表示され、十字キー５８の上／下ボタンで所望の値を選択し、ＯＫボタン８６で決定する。
【００４４】
そして、上から５段目には、シャープネスボタン７９、多重露光ボタン８０、外部ストロボボタン８１、ＩＳＯ感度ボタン８２が配置されている。シャープネスボタン７９、ＩＳＯ感度ボタン８２を押すと、それぞれ、シャープネス処理、ＩＳＯ感度の設定画面が液晶モニタ２８に表示され、十字ボタン５８の上／下ボタンで所望の値を選択し、ＯＫボタン８６で決定する。また、多重露光ボタン８０、外部ストロボボタン８１を押すと、それぞれ、多重露光、外部ストロボのＯＮ／ＯＦＦを選択する選択画面が液晶モニタ２８に表示され、十字キー５８の上／下ボタンでＯＮかＯＦＦかを選択し、ＯＫボタン８６で決定する。
【００４５】
そして、最下段には動画再生の設定を行うための消去ボタン８３、オートプレイボタン８４、プロテクトボタン８５と、ＯＫボタン８６が配置されている。消去ボタン８３を押すと、１コマ、又は全コマ消去するか、メディアの記録を全て消去（メディアの初期化）するかを選択する画面が液晶モニタ２８に表示され、十字キー５８の上／下ボタンで何れかを選択し、ＯＫボタン８６で決定する。また、オートプレイボタン８４を押すと、オートプレイの実行を指示する画面が液晶モニタ２８に表示され、ＯＫボタン８６で決定するとオートプレイが実行される。また、プロテクトボタン８５を押すと、プロテクト設定画面が液晶モニタ２８に表示され、十字キー５８の上／下ボタンで１コマずつプロテクト設定もしくは解除するか、全コマプロテクト設定するか、又は全コマプロテクト解除するかを選択し、ＯＫボタン８６で決定する。その後、１コマずつプロテクト設定もしくは解除する場合は、十字キー５８の左／右ボタンによって所望のコマを選択し、ＯＫボタン８６で決定する。
【００４６】
このように、デジタルカメラ１０の各種設定画面を液晶モニタ２８に表示させることを、１度のボタン操作で行うことができるようにしたので、デジタルカメラ１０の各種設定が容易になり、設定に要する時間を短縮できる。
【００４７】
また、液晶モニタ２８をカメラ本体１２の後面１２Ｃから分離したことによって、液晶モニタ２８を大型化できる。このため、デジタルカメラ１０では、図１１に示すように、再生画像が２０コマ同時に液晶モニタ２８に表示される。
【００４８】
そして、モードレバー６０によって再生モードが選択され、液晶モニタ２８に再生画像が表示されている時には、最上段の設定ボタン６４〜６６を除く上から２段目以下の設定ボタン６７〜８６は液晶モニタ２８に表示された再生画像を選択する選択ボタン６７´〜８６´に切換えられる。
【００４９】
上から２段目の選択ボタン６７´が押されると、１コマ目の再生画像が拡大表示され、最下段の選択ボタン８６´が押されると、２０コマ目の再生画像が拡大表示される。このように、各選択ボタンは、各再生画像コマに対応している。これによって、従来のように十字キー５８を何度か押して再生画像を選択するのではなく、選択ボタン６７´〜８６´を１度押すだけで再生画像を選択できるので、再生画像の選択操作の時間を短縮できる。
【００５０】
なお、本実施形態では、液晶モニタ２８をレンズカバー１６に設けたが、これに限らず、背面１２Ｃの操作スイッチ群２６をカバーする背面カバーを設け、この背面カバーに液晶モニタ２８を設けるようにしても良い。
【図面の簡単な説明】
【００５１】
【図１】本実施形態のデジタルカメラを示す斜視図である。
【図２】本実施形態のデジタルカメラを示す斜視図である。
【図３】本実施形態のデジタルカメラを示す斜視図である。
【図４】本実施形態のデジタルカメラを示す斜視図である。
【図５】本実施形態のデジタルカメラを示す斜視図である。
【図６】本実施形態のデジタルカメラのヒンジを示す断面図である。
【図７】本実施形態のデジタルカメラを示す断面図である。
【図８】本実施形態のデジタルカメラの側面を示す図である。
【図９】本実施形態のデジタルカメラの回路構成を示すブロック図である。
【図１０】本実施形態のデジタルカメラの後面を示す図である。
【図１１】本実施形態のデジタルカメラの液晶モニタを示す図である。
【符号の説明】
【００５２】
１０    デジタルカメラ
１２    カメラ本体
１２Ａ  前面
１２Ｃ  後面
１６    レンズカバー（カバー）
２６    操作スイッチ群
２８    液晶モニタ（モニタ）
８７    設定ボタン群（選択ボタン群）
【図１】
2005184098.tif 000003
【図２】
2005184098.tif 000004
【図３】
2005184098.tif 000005
【図４】
2005184098.tif 000006
【図５】
2005184098.tif 000007
【図６】
2005184098.tif 000008
【図７】
2005184098.tif 000009
【図８】
2005184098.tif 000010
【図９】
2005184098.tif 000011
【図１０】
2005184098.tif 000012
【図１１】
2005184098.tif 000013